(57)【要約】 【課題】  情報の記録再生の立上がり時間を短縮可能であり、かつ光ピックアップ手段の制御を簡便にすることが可能であり、さらに高い信頼性で種類を識別可能にする光記録媒体を提供し、その光記録媒体のためのピックアップ装置およびドライブ装置を提供する。【解決手段】  光記録媒体である光ディスク２０には、識別情報保持部２１を設ける。識別情報保持部２１は、ミラー領域３２に、たとえば貫通孔３７によって記録膜の欠落部分が形成され、この欠落部分によって識別情報を表す。ドライブ装置には、記録領域３３に設けられる情報記録部３５に対する情報の記録再生のための光ピックアップ手段とは別に、たとえば光センサで実現される読取手段が設けられ、識別情報が読取られる。また識別情報保持部２１は、ＩＣチップによって識別情報を記憶し、ドライブ装置のリーダとなる手段を設けるようにしてもよい。【選択図】      図１
2008010060.tif 000002
【特許請求の範囲】
【請求項１】
光ピックアップ手段を備えるドライブ装置に装着され、光ピックアップ手段によって情報記録部が走査されて情報が記録再生されるディスク状の光記録媒体であって、
ドライブ装置に装着された状態で、光ピックアップ手段とは異なる読取手段によって読取可能に識別情報を保持する識別情報保持部を備えることを特徴とする光記録媒体。
【請求項２】
前記識別情報保持部は、光ピックアップ手段によって記録再生される情報のための情報記録部とは異なる領域に設けられることを特徴とする請求項１に記載の光記録媒体。
【請求項３】
前記識別情報保持部は、読取手段による光学的操作によって読取可能に識別情報を保持することを特徴とする請求項１または２に記載の光記録媒体。
【請求項４】
前記情報記録部および前記識別情報保持部にわたって記録膜が設けられ、
前記識別情報保持部は、記録膜の有無によって識別情報を表すことを特徴とする請求項３に記載の光記録媒体。
【請求項５】
前記識別情報保持部は、貫通孔を形成することによって、記録膜の欠落部分が形成されることを特徴とする請求項４に記載の光記録媒体。
【請求項６】
前記識別情報保持部は、記録膜の形成時に非形成領域が設けられることによって、記録膜の欠落部分が形成されることを特徴とする請求項４に記載の光記録媒体。
【請求項７】
前記識別情報保持部は、半導体メモリを有し、半導体メモリに識別情報が記憶されていることを特徴とする請求項１または２に記載の光記録媒体。
【請求項８】
前記半導体メモリは、書換可能であることを特徴とする請求項７に記載の光記録媒体。
【請求項９】
請求項１〜８のいずれか１つに記載の光記録媒体に対して情報を記録再生するドライブ装置に設けられ、
光記録媒体の情報記録部を走査して、情報を記録再生する光ピックアップ手段と、
識別情報保持部に保持される識別情報を読取るための読取手段とを備えることを特徴とするピックアップ装置。
【請求項１０】
前記読取手段は、光ピックアップ手段に搭載されることを特徴とする請求項９に記載のピックアップ装置。
【請求項１１】
前記読取手段は、予め定める位置に固定されて設けられることを特徴とする請求項９に記載のピックアップ装置。
【請求項１２】
請求項９〜１１のいずれか１つに記載のピックアップ装置を備えることを特徴とするドライブ装置。
【発明の詳細な説明】
【技術分野】
【０００１】
本発明は、たとえば光ディスクおよび光磁気ディスクを含む光記録媒体ならびに光記録媒体に対して情報を記録再生するピックアップ装置およびドライブ装置に関する。
【０００２】
本発明において、用語「記録再生」は、記録および再生の少なくともいずれ一方を意味する。
【背景技術】
【０００３】
図７は、従来の技術の光ディスク１を示す正面図である。図８は、光ディスク１の種別を識別する方法を説明するための断面図である。音楽情報、画像情報を始めとする各種情報を記録するために、たとえばコンパクトディスク（ＣＤ）、デジタルバーサタイルディスク（ＤＶＤ）などの光ディスク１が用いられている。ディスク状の光記録媒体である光ディスク１は、基板２に金属から成る記録膜３が設けられ、記録膜３を覆って保護層４が設けられ、記録膜３の表面に凹凸を形成することによって情報を記録することができる。この光ディスク１は、記録再生装置に装着され、記録再生装置によって情報が記録および再生される。
【０００４】
光ディスク１の製造時、成膜装置を用いて記録膜３を形成するときに、中央部を円形の固定装置で保持するので、成膜されない領域（以下「無膜領域」という）６が中央部に形成され、この無膜領域６は、記録再生装置に装着されるとき、光ディスク１をクランプするために利用される。無膜領域６の外側の記録膜３が形成される領域（以下「膜形成領域」という）７は、情報の記録には用いられない最内周部のミラー領域８と、残余の情報の記録に用いられる記録領域９とを有している。したがって光ディスク１は、外周側から内周側に順に、記録膜３が形成されて情報の記録に用いられる記録領域９、記録膜３が形成されるが情報の記録に用いられないミラー領域８、記録膜３が形成されない無膜領域６を有している。
【０００５】
このような光ディスク１は、コンパクトディスク（ＣＤ）およびデジタルバーサタイルディスク（ＤＶＤ）などの複数の種類のディスクが存在し、その種類によって情報の記録方式および記録形態が異なる。記録再生装置では、記録方式および記録形態が異なる複数の種類の光ディスク１に対して情報の記録および再生を可能にするために、フォーカスエラー信号を利用して、光ディスク１の種類を識別している。ＣＤとＤＶＤとを例に挙げて、種類を識別する方法を説明すると、光ディスク１は、種類によって保護層４の厚み寸法が異なるので、フォーカスエラー信号を利用して保護層４の厚み寸法を計測し、光ディスク１の種類を識別している。
【０００６】
図８には、図８（１）および図８（２）に保護層４の厚み寸法が小さい光ディスク１、たとえばＤＶＤの場合を示し、図８（３）および図８（４）に保護層４の厚み寸法が大きい光ディスク１、たとえばＣＤの場合を示す。保護層４の厚み寸法を計測するにあたっては、対物レンズ１０をフォーカシング方向へ一定の速度で変位させながら、光ディスク１にレーザ光を照射し、反射光を受光し、図８（１）および図８（３）のようにレーザ光が光ディスク１の表面である保護層４の表面４ａに集光される時刻と、図８（２）および図８（４）のようにレーザ光が記録面である記録膜３の表面３ａに集光される時刻との時間Ｔを計測する。
【０００７】
図９は、フォーカシング信号の一例を示すグラフである。図９には、前述のように対物レンズ１０を変位させながら、光ディスク１にレーザ光を照射し、反射光を受光して得られるフォーカシング信号を示し、図９（１）に図８（３）および図８（４）の保護層４の厚み寸法が大きい場合のフォーカシング信号を示し、図９（２）に図８（１）および図８（２）の保護層４の厚み寸法が小さい場合のフォーカシング信号を示す。フォーカンシング信号は、図９に示すように、保護層４の表面４ａに集光するときに小さい振幅の信号が得られ、記録膜３の表面に集光するときに大きい振幅の信号が得られる。これら２つの信号間の時間Ｔと、対物レンズ１０の変位速度とから、保護層４の厚み寸法を演算して求めている。このようなフォーカンシング信号を利用して、光ディスク１の種別を識別するディスク装置が、たとえば特許文献１に開示されている。
【０００８】
また他の従来の技術として、ＴＯＣ（tab le of content）情報と呼ばれるディスクの識別情報が記録される、光ディスク１が用いられている。ＴＯＣ情報は、ディスク製造時に金型となるスタンパから成型時に転写することにより、基板面に凹凸を形成して、光ディスク１に記録されている。このＴＯＣ情報は、光ピックアップ手段を用いて取得され、このＴＯＣ情報によって光ディスク１の種類を識別することができる。このＴＯＣ情報を用いて光ディスクを識別する装置は、たとえば特許文献２に開示されている。
【０００９】
さらに他の従来の技術として、光センサで識別可能なマークが、レーベル印刷の向きに対応させて印刷される光ディスク１が用いられている。このようにマークを印刷しておくことによって、光ディスク１をケースに挿入するとき、レーベル印刷の向きを識別し、レーベル印刷の向きをケースの向きに合わせて収納することができる。このようなマークが印刷される光ディスク１は、たとえば特許文献３に開示されている。
【００１０】
さらに他の従来の技術として、ディスク状の記録媒体を収納したカセットであって、カセットの一部に記録媒体の情報形成層の特性を表示する表示部が設けられるカセットが用いられている。このカセットは、たとえば特許文献４に開示されている。
【００１１】
【特許文献１】特開平１１−１３４７８２号公報
【特許文献２】特開２００４−４６９２２号公報
【特許文献３】実願昭６３−１２３０１７号（実開平２−４６９５８号）のマイクロフィルム
【特許文献４】特開昭６２−２６６８０号公報
【発明の開示】
【発明が解決しようとする課題】
【００１２】
フォーカス信号を利用して、保護層４の厚みを計測し、光ディスク１の種類を識別する構成では、対物レンズ１０を変位駆動するアクチュエータの動作速度が、計測結果に影響する。この保護層４の厚み寸法の演算に用いる動作速度は、記録再生装置の組立時に初期設定されており、経時変化などによってアクチュエータの動作速度が変化すると、保護層４の厚み寸法が同一であっても、保護層４の表面４ａに集光する時刻と記録膜３の表面３ａに集光する時刻との間の時間Ｔが変化する。このように時間Ｔが変化すると、初期設定された動作速度を用いて演算した場合、演算して求められる保護層４の厚み寸法が、実際の保護層４の厚み寸法と異なり、光ディスク１の種類を誤識別してしまう。たとえばアクチュエータの動作速度が経時変化で低くなると、保護層４の厚み寸法が小さい光ディスク１、たとえばＤＶＤであっても、保護層４の厚み寸法が大きい光ディスク１、たとえばＣＤであると誤識別するおそれがあり、信頼性が低い。また市販の光ディスクの中には、光ディスクの厚みが、規格外のディスクが存在するので、光ディスクの厚みによるディスク判定が出来ないディスクも存在する。
【００１３】
またフォーカス信号を利用して、保護層４の厚みを計測し、光ディスク１の種類を識別する構成では、光ピックアップ手段の光源からレーザ光を出射し、光ディスク１に照射して得られるフォーカスエラー信号を利用する構成であるので、光ピックアップ手段を、光ディスク１の種類の識別のための状態から、情報の記録および再生のための状態に切換えるとき、種類の識別のための動作を終了するまで、情報の記録および再生のための動作を開始することができず、情報の記録および再生のための状態への立上がり時間が長くなってしまう。また光ピックアップ手段を用いる構成であるので、光ピックアップ手段を動作させるために、情報の記録および再生のための制御とは異なる他の制御が必要となり、光ピックアップ手段の制御が複雑になる。
【００１４】
さらにＴＯＣ情報を利用する構成でも、上記フォーカス信号を利用する構成と同様に光ピックアップ手段を用いるので、情報の記録および再生のための状態への立上がり時間が長くなるとともに、光ピックアップ手段の制御が複雑になる。
【００１５】
さらにマークを印刷する構成では、光ピックアップ手段とは異なる光センサを用いるので、前述の光ピックアップ手段を用いることによる問題点は生じないが、レーベル印刷の向きを識別できるだけであり、光ディスク１の種類を識別することはできない。またマークは印刷される構成であり、マークのコントラストが明瞭でない場合、識別の信頼性が低くなってしまう。さらにまたカセットに表示部を設ける構成は、カセットであるからこそ採用可能な構成であり、光ディスク１に採用することはできない。
【００１６】
本発明の目的は、情報の記録再生の立上がり時間を短縮可能であり、かつ光ピックアップ手段の制御を簡便にすることが可能であり、さらに高い信頼性で種類を識別可能にするディスク状の光記録媒体を提供するとともに、その光記録媒体の種類を識別可能なピックアップ装置およびドライブ装置を提供することである。
【課題を解決するための手段】
【００１７】
本発明は、光ピックアップ手段を備えるドライブ装置に装着され、光ピックアップ手段によって情報記録部が走査されて情報が記録再生されるディスク状の光記録媒体であって、
ドライブ装置に装着された状態で、光ピックアップ手段とは異なる読取手段によって読取可能に識別情報を保持する識別情報保持部を備えることを特徴とする光記録媒体である。
【００１８】
また本発明は、前記識別情報保持部は、光ピックアップ手段によって記録再生される情報のための情報記録部とは異なる領域に設けられることを特徴とする。
【００１９】
また本発明は、前記識別情報保持部は、読取手段による光学的操作によって読取可能に識別情報を保持することを特徴とする。
【００２０】
また本発明は、前記情報記録部および前記識別情報保持部にわたって記録膜が設けられ、
前記識別情報保持部は、記録膜の有無によって識別情報を表すことを特徴とする。
【００２１】
また本発明は、前記識別情報保持部は、貫通孔を形成することによって、記録膜の欠落部分が形成されることを特徴とする。
【００２２】
また本発明は、前記識別情報保持部は、記録膜の形成時に非形成領域が設けられることによって、記録膜の欠落部分が形成されることを特徴とする。
【００２３】
また本発明は、前記識別情報保持部は、半導体メモリを有し、半導体メモリに識別情報が記憶されていることを特徴とする。
【００２４】
また本発明は、前記半導体メモリは、書換可能であることを特徴とする。
また本発明は、前記光記録媒体に対して情報を記録再生するドライブ装置に設けられ、
光記録媒体の情報記録部を走査して、情報を記録再生する光ピックアップ手段と、
識別情報保持部に保持される識別情報を読取るための読取手段とを備えることを特徴とするピックアップ装置である。
【００２５】
また本発明は、前記読取手段は、光ピックアップ手段に搭載されることを特徴とする。
また本発明は、前記読取手段は、予め定める位置に固定されて設けられることを特徴とする。
また本発明は、前記ピックアップ装置を備えることを特徴とするドライブ装置である。
【発明の効果】
【００２６】
本発明によれば、ドライブ装置に装着された状態で、光ピックアップ手段とは異なる読取手段によって、識別情報保持部に保持される識別情報を読取ることができる。この識別情報に基づいて、光記録媒体の種類を識別することができる。このように識別情報を読取る構成であれば、経時変化によって情報が変化することがなく、誤識別を少なくし、識別の高い信頼性が得られる。また光ピックアップ手段を用いることなく、光記録媒体の種類を識別することができるので、光ピックアップ手段は、光記録媒体の種類の識別のための動作の終了を待機しなくても、光記録媒体の種類が識別できた時点で、情報の記録再生のための動作を開始することができる。したがって情報の記録再生のための立上がり時間を短くすることができる。また光ピックアップ手段の制御は、情報の記録再生のための制御だけでよく、光ピックアップ手段の制御を簡便にすることができる。
【００２７】
また本発明によれば、識別情報保持部が、情報記録部とは異なる領域に設けられる。このように情報記録部とは関係ない領域に識別情報保持部を設ける構成にすれば、情報記録部の構成を変更する必要がなく、容易に実現することができる。
【００２８】
また本発明によれば、識別情報保持部の識別情報は、読取手段による光学的操作によって読取可能である。これによって読取手段によって光記録媒体に対して非接触で識別情報を読取ることができ、好適な識別情報保持部を実現することができる。
【００２９】
また本発明によれば、記録膜を利用し、記録膜の有無によって識別情報が表されるので、簡易な構成で光学的操作によって読取可能な識別情報保持部を実現することができる。
【００３０】
また本発明によれば、貫通孔を形成する簡易な構成で、記録膜の欠落部分が形成されるので、識別情報保持部を容易に実現することができる。光記録媒体には、中央部に、ドライブ装置に装着するときにクランプに利用される孔が形成されるので、貫通孔をこの孔と同一の工程で形成することによって、工程数を増やすことなく、識別情報保持部を有する光記録媒体を製造することができる。貫通孔の数、寸法、形状および間隔などによって、識別情報を表すことができる。
【００３１】
また本発明によれば、記録膜の形成時に非形成領域が設けられることによって、記録膜の欠落部分が形成されるので、光記録媒体の製造プロセスにおける記録膜の形成工程で、欠落部分を形成することができ、工程数を増やすことなく、識別情報保持部を有する光記録媒体を製造することができる。記録膜の非形成領域の数、寸法、形状および間隔などによって、識別情報を表すことができる。
【００３２】
また本発明によれば、識別情報保持部の半導体メモリによって、識別情報が記憶される。このように半導体メモリを用いることによって、より多くの情報を扱うことができ、利便性を高くすることができる。
【００３３】
また本発明によれば、半導体メモリが書換可能であり、識別情報を書換えることができる。また識別情報に加えて、他の情報を追加して記録しておくことができ、利便性を高くすることができる。たとえば情報記録部に記録されている情報がどのような情報であるかを表す情報を記録するようにしてもよい。またオリジナルディスクであることを示す認証システムにも適用可能となり、パソコンソフトなどの記録済み光記録媒体の著作権保護にも有効に利用可能となる。
【００３４】
また本発明によれば、光ピックアップ手段と、読取手段とを備えることによって、光記録媒体の識別を可能にし、かつ光記録媒体に対して情報の記録再生が可能である。またドライブ装置に光記録媒体を挿入したときに、光記録媒体を識別することができる。
【００３５】
また本発明によれば、読取手段が光ピックアップ手段に設けられる。読取手段は、小型に実現可能であり、光ピックアップ手段に容易に搭載することができ、ピックアップ装置を簡易に実現することができる。
【００３６】
また本発明によれば、光ピックアップ手段に関係なく、読取手段を設けることによって、光ピックアップ手段と読取手段とをより自由なレイアウトに配置して、ピックアップ装置を実現することができる。
また本発明よれば、利便性の高いドライブ装置を実現することができる。
【発明を実施するための最良の形態】
【００３７】
図１は、本発明の実施の一形態の光ディスク２０を示す正面図である。ディスク状の光記録媒体である光ディスク２０は、音楽情報、画像情報を始めとする各種情報を記録するために用いられ、少なくともレーザ光などの光を照射して記録再生されるディスクであり、光とともに磁気を併用するディスクであってもよい。この光ディスク２０は、たとえばコンパクトディスク（ＣＤ）、デジタルバーサタイルディスク（ＤＶＤ）、ミニディスク（ＭＤ）、エムオー（ＭＯ）などの複数種類のディスクを含んでいる。またＣＤ、ＤＶＤ、ＭＤ、ＭＯが、さらに複数の種類に分類される場合もある。このような光ディスク２０は、その種類によって記録方式および記録形態が異なるので、記録再生にあたってエラーを生じないように、種類に応じた動作で記録再生するために、光ディスク２０の種類を識別する必要がある。光ディスク２０には、種類を識別するための識別情報を保持する識別情報保持部２１が設けられている。
【００３８】
図２は、図１の切断面線Ｓ２−Ｓ２から見た断面図である。図１を併せて参照して、光ディスク２０は、中央部に軸線Ｌに平行に貫通する中央孔２２が形成される円板状の形状を有する。光ディスク２０は、少なくとも１層の記録膜２５を有し、この記録膜２５の表面に凹凸を形成することによって情報を記録することができる構成である。本実施の形態では、光ディスク２０は、１層の記録膜２５を有しており、基板２６の厚み方向一方の表面に記録膜２５が設けられ、この記録膜２５をおおって保護層２７が設けられる。記録膜２５は、たとえば金属から成り、基板２６および保護層２７は、たとえば透光性を有する合成樹脂から成る。このように光ディスクは、記録膜２５と、透光性を有する合成樹脂から成る層２６，２７とが積層された積層体である。
【００３９】
記録膜２５は、成膜装置を用いて基板２６に成膜形成されるが、この成膜時、基板２６の中央部を円形の固定装置で保持されているので、この保持される領域をさけて記録膜２５が形成される。したがって光ディスク２０は、内周部に記録膜２５が形成されてない領域（以下「無膜領域」という）３０を有し、無膜領域３０の外側の記録膜３が形成される領域（以下「膜形成領域」という）３１を有する。膜形成領域３１は、情報の記録には用いられない最内周部のミラー領域３２と、ミラー領域３２の外側の情報の記録に用いられる記録領域３３とを有している。したがって光ディスク２０は、外周側から内周側に順に、記録膜２５が形成されて情報の記録に用いられる記録領域３３、記録膜２５が形成されるが情報の記録に用いられないミラー領域３２、記録膜２５が形成されない無膜領域３０を有している。
【００４０】
この光ディスク２０では、記録領域３３に、音楽情報、画像情報を始めとする各種情報を記録するための情報記録部３５が設けられ、この情報記録部３５における記録膜２５の表面に凹凸が形成されて情報が記録される。情報記録部３５は、記録領域３３の一部に設けられてもよいが、本実施の形態では、記録領域３３の全域に設けられる。
【００４１】
識別情報を保持するための識別情報保持部２１は、ミラー領域３２に設けられる。識別情報保持部２１は、ミラー領域３２の全域に設けられてもよいが、本実施の形態では周方向の一部に設けられる。本実施の形態では、識別情報保持部２１は、記録膜２５の有無によって識別情報を表す構成であり、記録膜２５の欠落部分の数、寸法、形状および間隔などによって、識別情報を表す。識別情報保持部２１には、記録膜２５の成膜後に、軸線Ｌに平行な貫通孔３７が形成され、この貫通孔３７を形成することによって、記録膜２５の欠落部分が形成されている。図１に示す例では、４つ円形状の貫通孔３７が、周方向に等間隔に並べて形成されている。
【００４２】
図３は、光ディスク２０の情報記録部３５に対して情報を記録再生するためのドライブ装置４０の主要構成を示す断面図である。ディスク装置などとも呼ばれるドライブ装置４０は、図示を省略するハウジング内に、回転駆動手段４１と、光ピックアップ手段４２と、読取手段４３と、制御手段４４とを備えている。
【００４３】
回転駆動手段４１は、光ディスク２０を軸線Ｌまわりに回転駆動する手段であり、ターンテーブルを備えたスピンドルモータによって実現される。光ディスク２０は、中央孔２２およびその周囲の無膜領域３０の部分を利用して、回転駆動手段４１に同軸に設けられ、図示を省略するクランプ手段によってクランプされ、軸線Ｌまわりに回転駆動される。
【００４４】
光ピックアップ手段４２は、光源、受光素子、および対物レンズ４７を含む光学系を備え、光源から出射するレーザ光を光学系を介して、光ディスク２０の情報記録部３５の記録膜２５に照射して、情報を記録し、また照射したレーザ光の反射光を受光素子で受光して、情報を再生する。光ピックアップ手段４２は、たとえば複数の光源を備え、光ディスク２０の種類に異なる光源から、その種類の光ディスク２０に適合する波長および強度のレーザ光を用いて、情報を記録再生することができる。このように光ピックアップ手段４２は、複数の種類の光ディスク２０に対して情報の記録再生が可能な構成である。
【００４５】
また光ピックアップ手段４２は、対物レンズ４７をフォーカンシングおよびトラッキング方向に変位する駆動部をさらに有し、光源、受光素子、光学系、駆動部などが、搬送台に搭載されて構成される。この搬送台が、回転駆動手段４１の回転軸線に垂直に、回転駆動手段４１に近接および離反する方向へ変位可能に設けられ、図示を省略するアクチュエータによって変位駆動される。これによって光ピックアップ手段４２は、光ディスク２０の半径方向に変位駆動される。
【００４６】
ドライブ装置４０は、回転駆動手段４１によって光ディスク２０を回転駆動し、光ピックアップ手段４２をトラッキング方向へ変位させながら、光ピップアップ手段４２によってレーザ光を照射する。このようにドライブ装置４０は、光ピックアップ手段４２によって光ディスク２０にレーザ光を走査しならが照射して、情報を記録再生することができる。
【００４７】
読取手段４３は、光センサによって実現され、光源と受光素子とを備えている。読取手段４３は、回転駆動手段４１の近傍、したがって光ディスク２０を回転させる回転駆動軸線近傍の固定位置において、たとえばハウジングなどに固定されている。読取手段４３は、光ディスク２０が回転駆動手段４１に同軸にクランプされた状態で、光ディスク２０のミラー領域３２の部分に対向する位置に配置されている。読取手段４３は、光源から光ディスク２０に向けて光を照射し、記録膜２５による反射光を受光素子で受光するか否かによって、記録膜２５の欠落部分を検出する。読取手段４３は、回転駆動手段４１によって光ディスク２０が回転駆動される状態で、ミラー領域３２に形成される識別情報保持部２１の記録膜２５の欠落部分を検出し、この欠落部分によって表される識別情報を読取ることができる。
【００４８】
制御手段４４には、読取手段４３によって読取られた識別情報が与えられ、その識別情報に基づいて、光ディスク２０の種類を識別し、その種類に応じた動作を実行するように光ピックアップ手段４２を制御する。制御手段４４は、たとえば、光ディスク２０の種類がＣＤであると識別すると、光ピックアップ手段４２にＣＤ用の記録再生動作を実行させ、光ディスク２０の種類がＤＶＤであると識別すると、光ピックアップ手段４２にＤＶＤ用の記録再生動作を実行させる。
【００４９】
このようなドライブ装置４０では、ドライブ装置４０内に光ディスク２０が挿入され、回転駆動手段４１にクランプされると、制御手段４４に制御されて回転駆動手段４１によって光ディスク２０が回転され、読取手段４３によって識別情報が読取られる。読取られた識別情報が制御手段４４に与えられ、光ディスク２０の種類が識別されると、制御手段４４に制御されて光ピックアップ手段４２が識別された種類に合致する動作で、光ディスク２０に対して情報を記録再生する。
【００５０】
本実施の形態の光ディスク２０は、光ピックアップ手段４２を備えるドライブ装置４０に装着され、光ピックアップ手段４２によって情報記録部３５が走査されて情報が記録再生されるディスク状の光記録媒体である。この光ディスク２０は、識別情報を保持する識別情報保持部２１を備えており、ドライブ装置４０に装着された状態で、光ピックアップ手段４２とは異なる読取手段４３によって、識別情報を読取可能である。これによって光ディスク２０をドライブ装置４０に装着することによって、ドライブ装置４０において、識別情報を読取り、その識別情報に基づいて、光ディスク２０の種類を識別することができる。このように読取手段４３を用いて識別情報を読取る構成であれば、読取られる識別情報が、経時変化に伴って変化してしまうことがなく、誤識別を少なくし、識別の高い信頼性が得られる。
【００５１】
また光ピックアップ手段４２を用いることなく、光ディスク２０の種類を識別することができるので、光ピックアップ手段４２は、光ディスク２０の種類の識別のための動作の終了を待機しなくても、光ディスク２０の種類が識別できた時点で、情報の記録再生のための動作を開始することができる。図８および図９を参照して説明したような識別方法では、フォーカスエラー信号を利用するので、光ピックアップ手段の光源を点灯後、光ディスクを回転駆動手段で回転し、レーザ光を光ディスクに照射してフォーカスエラー信号を得る必要がある。たとえばＤＶＤとＣＤとを記録再生するドライブ装置４０の場合、光ディスク２０を挿入後、ＣＤ用のレーザ光およびＤＶＤ用レーザ光のいずれかを照射して、種類を識別する。この識別の結果、種類の識別に用いたレーザ光が、実際に挿入された光ディスク２０の種類とは異なる種類の記録再生用のレーザ光である場合、識別に用いたレーザ光の照射を停止し、識別のための動作を終了させた後、情報の記録再生のためのレーザ光の照射を開始しなければならない。仮にＣＤである光ディスク２０が、ドライブ装置４０に装着された場合に、ドライブ装置４０における設定がＤＶＤ用のレーザ光を発光する設定になっていると、ＤＶＤ用のレーザ光を用いて光ディスク２０の種類が識別され、その後、ＤＶＤ用のレーザ光の発光が停止された後、ＣＤ用のレーザ光が発光されるように、光源が変更される。つまり光ピックアップ手段４２を用いて光ディスク２０の種類を識別する場合には、光ピックアップ手段４２の種類の識別のための動作の終了を待って、その後、情報の記録再生のための動作を開始しなければならない。これに対して本実施の形態では、読取手段４３による識別情報の読取りによって光ディスク２０の種類が識別できた時点で、光ピックアップ手段４２の情報の記録再生のための動作を開始することができる。したがって情報の記録再生のための立上がり時間を短くすることができる。また光ピックアップ手段４２の制御は、情報の記録再生のための制御だけでよく、光ピックアップ手段４２の制御を簡便にすることができる。
【００５２】
またこのように光ディスク２０の種類の識別のための識別情報を、光ディスク２０自身に保持させることによって、光ディスク２０の記録再生までの立上がり時間が短くなるととともに、従来の技術の項で説明したような、光ピックアップ手段４２の経時変化・ディスクの厚みの差による各種光ディスクの誤判定を無くすことができる。このように好適な光ディスク２０の種類識別を実現することができる。
【００５３】
また識別情報保持部２１は、光ピックアップ手段４２によって記録再生される情報のための情報記録部３５とは異なる領域に設けられる。情報記録部３５は、従来の技術と同様に、記録領域３３に設けられ、従来の技術と同様に構成されている。識別情報保持部２１は、この記録領域３３とは異なるミラー領域３２に設けられる。このように情報記録部３５とは関係ない領域であり、従来の技術の光ディスクにおいて、情報の記録に利用されていなかったミラー領域３２に識別情報保持部２１が設けられるので、情報記録部３５の構成を変更する必要がなく、識別情報保持部２１を設ける構成の導入を容易にし、光ディスク２０を容易に実現することができる。
【００５４】
また識別情報保持部２１は、読取手段４３の光源から照射された光の記録膜２５による反射光を受光素子で受光するか否かを検出する光学的操作によって読取可能に、識別情報を保持している。このように識別情報が光学的操作によって読取可能であるので、読取手段４３によって光ディスク２０に対して非接触で識別情報を読取ることができ、好適な識別情報保持部２１を実現することができる。
【００５５】
また識別情報保持部２１は、記録膜２５の有無によって識別情報を表している。このように記録膜２５を利用し、記録膜２５の有無によって識別情報が表されるので、簡易な構成で光学的操作によって読取可能な識別情報保持部を実現することができる。また記録膜２５は、光ピックアップ手段４２による情報の記録再生に用いられる膜であり、このような記録膜２５がある部分と、記録膜２５の欠落部分とは、高いコントラストを有しており、光学的操作による検出精度を高くすることができる。
【００５６】
さらに識別情報保持部２１は、貫通孔３７が形成され、記録膜２５の欠落部分が形成される。さらに貫通孔３７を形成する簡易な構成で、記録膜２５の欠落部分が形成されるので、識別情報保持部２１を容易に実現することができる。また光ディスク２０には、中央部に、ドライブ装置４０に装着するときにクランプに利用される中央孔２２が形成されるので、貫通孔３７をこの中央孔２２と同一の工程で形成することによって、工程数を増やすことなく、識別情報保持部２１を有する光ディスク２０を製造することができる。
【００５７】
また光ピックアップ手段４２と、読取手段４３とを備えて、ピックアップ装置が構成され、このピックアップ装置によって、光ディスク２０の識別を可能にし、かつ光ディスク２０に対して情報の記録再生が可能である。またドライブ装置４０に光ディスク２０を挿入したときに、光ディスク２０を識別することができる。
【００５８】
また読取手段４３は、前述のように光ディスク２０のミラー領域３２に対向する位置に固定されて設けられる。このように光ピックアップ手段４２に関係なく、読取手段４３を設けることによって、光ピックアップ手段４２と読取手段４３とをより自由なレイアウトに配置して、ピックアップ装置を実現することができる。さらのこのようなピックアップ装置を備えることによって、利便性の高いドライブ装置４０を実現することができる。
【００５９】
図４は、本発明の実施の他の形態の光ディスク２０Ａを示す正面図である。図４に示す本実施の形態の光ディスク２０Ａは、図１〜図３に示す前述の実施の形態の光ディスク２０と類似しており、対応する構成に同一の構成を付し、異なる構成についてだけ説明して同様の構成については説明を省略する。図４に示す本実施の形態では、記録膜２５の非形成領域３７Ａが設けられることによって、記録膜２５の欠落部分が形成される。このような記録膜２５の欠落部分は、記録膜２５の成膜時に、非形成領域をマスクし、記録膜２５が成膜されないようにして形成される。この成膜時に非形成領域をマスクするための手段は、成膜時に基板２６を保持する装置の外周部に一体に形成し、またはその装置の外周形状を変更して設けることができる。
【００６０】
このような図４に示す実施の形態の光ディスク２０Ａもまた、貫通孔３７によって記録膜２５の欠落部分が形成される構成による効果を除いて、図１〜図３の実施の形態の光ディスク２０と同様の効果を達成することができる。さらに記録膜２５の成膜形成時に非形成領域が設けられることによって、記録膜２５の欠落部分が形成されるので、光ディスク２０Ａの製造プロセスにおける記録膜２５の形成工程で、欠落部分を形成することができ、工程数を増やすことなく、識別情報保持部２１を有する光ディスク２０を製造することができる。
【００６１】
図５は、本発明の実施のさらに他の形態の光ディスク２０Ｂを示す正面図である。図５に示す本実施の形態の光ディスク２０Ｂは、図１〜図３に示す前述の実施の形態の光ディスク２０と類似しており、対応する構成に同一の構成を付し、異なる構成についてだけ説明して同様の構成については説明を省略する。図５に示す本実施の形態では、識別情報保持部２１は、ミラー領域３２に、たとえば貼着されて搭載される半導体メモリ５０を有し、半導体メモリ５０に識別情報が記憶され、これによって識別情報保持部２１に識別情報が保持されている。また半導体メモリ５０は、書換可能である。この半導体メモリ５０は、たとえばＩＣチップによって実現される。
【００６２】
このような半導体メモリ５０を用いる場合、ドライブ装置４０には、読取手段４３として、光センサに代えて、半導体メモリ５０と無線通信して情報の送受信が可能な手段が設けられる。したがって本実施の形態では、読取手段４３は、いわばリーダであり、半導体メモリ５０は、トランスポンダである。
【００６３】
このような半導体メモリ５０を備える光ディスク２０Ｂもまた、光ピックアップ手段４２を用いることなく、読取手段４３で識別情報を読取ることができ、識別情報が光学的操作で読取られることによる効果を除いて、図１〜図３の実施の形態の光ディスク２０と同様の効果を達成することができる。また半導体メモリ５０を備える光ディスク２０Ｂでも、光ディスク２０Ｂに対して非接触で、識別情報を読取ることが可能である。
【００６４】
さらに半導体メモリ５０を用いることによって、識別情報としてより多くの情報を扱うことができ、利便性を高くすることができる。また半導体メモリ５０が書換可能であり、識別情報を書換えることができる。また識別情報に加えて、他の情報を追加して記録しておくことができ、利便性を高くすることができる。たとえば情報記録部３５に記録されている情報がどのような情報であるかを表す情報を記録するようにしてもよい。またオリジナルディスクであることを示す認証システムにも適用可能となり、パソコンソフトなどの記録済み光ディスクの著作権保護にも有効に利用可能となる。
【００６５】
図６は、本発明の実施のさらに他の形態のドライブ装置４０Ｃを示す正面図である。図６に示す本実施の形態のドライブ装置４０Ｃは、図３に示す前述のドライブ装置４０と類似しており、対応する構成に同一の構成を付し、異なる構成についてだけ説明して同様の構成については説明を省略する。図６に示す本実施の形態では、読取手段４３は、光ピックアップ手段４２の搬送台に、対物レンズよりも回転駆動手段４１寄り、したがって光ディスク２０を回転させる回転駆動軸線寄りに、搭載される。
【００６６】
このように読取手段４３は、光ピックアップ手段４２に搭載される構成であってもよい。読取手段４３を光ピックアップ手段４３に搭載することによって、ピックアップ装置を簡易に実現することができる。読取手段４３は、たとえば光センサによって小型に構成することができ、光ピックアップ手段４２に容易に搭載することができる。
【図面の簡単な説明】
【００６７】
【図１】本発明の実施の一形態の光ディスク２０を示す正面図である。
【図２】図１の切断面線Ｓ２−Ｓ２から見た断面図である。
【図３】光ディスク２０の情報記録部３５に対して情報を記録再生するためのドライブ装置４０の主要構成を示す断面図である。
【図４】本発明の実施の他の形態の光ディスク２０Ａを示す正面図である。
【図５】本発明の実施のさらに他の形態の光ディスク２０Ｂを示す正面図である。
【図６】本発明の実施のさらに他の形態のドライブ装置４０Ｃを示す正面図である。
【図７】従来の技術の光ディスク１を示す正面図である。
【図８】光ディスク１の種別を識別する方法を説明するための断面図である。
【図９】フォーカシング信号の一例を示すグラフである。
【符号の説明】
【００６８】
２０，２０Ａ，２０Ｂ  光ディスク
２１  識別情報保持部
２５  記録膜
２６  基板
２７  保護層
３０  無膜領域
３２  ミラー領域
３３  記録領域
３５  情報記録部
３７  貫通孔
３７Ａ  非形成領域
４０，４０Ｃ  ドライブ装置
４１  回転駆動手段
４２  光ピックアップ手段
４３  読取手段
５０  半導体メモリ
【図１】
2008010060.tif 000003
【図２】
2008010060.tif 000004
【図３】
2008010060.tif 000005
【図４】
2008010060.tif 000006
【図５】
2008010060.tif 000007
【図６】
2008010060.tif 000008
【図７】
2008010060.tif 000009
【図８】
2008010060.tif 000010
【図９】
2008010060.tif 000011